(57)【要約】  穴加工工具（１００、３００）は、外側を向くパッドポケット（２０）及び内部に固定されたガイドパッド（１１８、２１８、３１８）を備える。このパッドポケットは、ポケット基面（３２）及び楔部材（１２８、２２８、３２８）を備え、この楔部材（１２８、２２８、３２８）は、楔上面及びこれと反対側の楔下面（６２、６４）を備え、この楔上面及び楔下面（６２、６４）の間に鋭角の楔角（β）が形成されている。上記楔下面は上記ポケット基面に当接し、上記ガイドパッドは上記楔上面に当接する。当該加工工具は、上記楔部材に当接し、上記楔部材を上記ポケット基面に沿って移動させるように構成されている調整ねじ（１３０、２３０、３３０）をさらに備える。当該加工工具は、上記楔部材の楔開口部（６８）を通り、上記ガイドパッド及び上記楔部材を上記パッドポケットの中に固定するように構成されている締めつけ部材（４０）をさらに備える。【選択図】図２
2020508225.tif 000002
【特許請求の範囲】
【請求項１】
中心長手方向工具軸（Ｒ）と、ポケット基面（３２）を有する外側を向くパッドポケット（２０）と、前記パッドポケット（２０）の中に固定されているガイドパッド（１１８、２１８、３１８）とを有する穴加工工具（１００、３００）であって、
楔部材（１２８、２２８、３２８）であって、楔上面及びこれと反対側の楔下面（６２、６４）、並びに前記楔部材に形成された楔開口部（６８）を備え、前記楔上面及び楔下面（６２、６４）の間に鋭角の楔角（β）が形成され、前記楔下面（６４）が前記ポケット基面（３２）に当接し、前記ガイドパッド（１１８、２１８、３１８）が前記楔上面（６２）に当接する楔部材（１２８、２２８、３２８）と、
前記楔部材（１２８、２２８、３２８）に当接し、前記楔部材（１２８、２２８、３２８）を前記ポケット基面（３２）に沿って移動させるように構成されている調整ねじ（１３０、２３０、３３０）と、
前記楔開口部（６８）を通り、前記ガイドパッド（１１８、２１８、３１８）及び前記楔部材（１２８、２２８、３２８）の両方を前記パッドポケット（２０）中に固定するように構成されている締めつけ部材（４０）と
をさらに備える穴加工工具（１００、３００）。
【請求項２】
前記楔角（β）が３°から１３°の範囲にある請求項１に記載の穴加工工具（１００、３００）。
【請求項３】
前記楔上面が前記中心長手方向工具軸（Ｒ）と鋭角の前逃げ角（α）を形成し、前記前逃げ角（α）が０．１°から０．３°の範囲にある請求項１又は請求項２に記載の穴加工工具（１００、３００）。
【請求項４】
前記ポケット基面（３２）が前記工具軸（Ｒ）と鋭角の底角を形成し、前記ポケット底角が前記楔角（β）及び前記前逃げ角（α）の和に等しい請求項３に記載の穴加工工具（１００、３００）。
【請求項５】
前記調整ねじ（１３０、２３０、３３０）が、楔部材（１２８、２２８、３２８）に対し、前記締めつけ部材（４０）に向けた力を加える請求項１から請求項４のいずれか一項に記載の穴加工工具（１００、３００）。
【請求項６】
前記中心長手方向工具軸（Ｒ）を含む断面が、前記調整ねじ（１３０、２３０、３３０）及び前記締めつけ部材（４０）の両方を通る請求項１から請求項５のいずれか一項に記載の穴加工工具（１００、３００）。
【請求項７】
前記パッドポケット（２０）が、前記ポケット基面（３２）から横方向に延在し、前記ガイドパッド（１１８、２１８、３１８）に当接して前記ガイドパッド（１１８、２１８、３１８）を位置決めするように構成されている複数のポケット壁（３４）をさらに備える請求項１から請求項６のいずれか一項に記載の穴加工工具（１００、３００）。
【請求項８】
前記複数のポケット壁（３４）が前記ポケット基面（３２）に対して垂直であり、前記ガイドパッド（１１８、２１８、３１８）を正確に位置決めするように構成されている請求項７に記載の穴加工工具（１００、３００）。
【請求項９】
前記ガイドパッド（１１８、２１８、３１８）がパッド上面及びこれと反対側のパッド下面（８４、８６）を有し、前記上面及び下面（８４、８６）のうちの少なくとも１つに位置する凸状の作用面（７４）を備える請求項１から請求項８のいずれか一項に記載の穴加工工具（１００、３００）。
【請求項１０】
前記締めつけ部材（４０）がねじであり、前記調整ねじ（１３０、２３０、３３０）及び前記締めつけ部材（４０）の両方が、前記パッドポケット（２０）に形成されたそれぞれのねじ穴に螺合する請求項１から請求項９のいずれか一項に記載の穴加工工具（１００、３００）。
【請求項１１】
前記パッドポケット（２０）が、前記ポケット基面（３２）から外側に向かって延在し工具周面（２２）とつながる複数のポケット壁（３４）を備える請求項１から請求項１０のいずれか一項に記載の穴加工工具（１００、３００）。
【請求項１２】
前記楔部材（３２８）が、前記調整ねじ（３３０）を収容する調整用凹部（８０）を備える請求項１から請求項１１のいずれか一項に記載の穴加工工具（３００）。
【請求項１３】
前記調整ねじ（３３０）が、前記楔部材（３２８）を反対方向である前後方向に選択的に移動させるように構成されている請求項１から請求項１２のいずれか一項に記載の穴加工工具（３００）。
【請求項１４】
前記楔部材（１２８、２２８）が、前記楔上面及び楔下面（６２、６４）のうちの一方から横方向に延在する受入拡張部（１７８、２７８）を備える請求項１から請求項１３のいずれか一項に記載の穴加工工具（１００）。
【請求項１５】
前記パッドポケット（２０）がカートリッジを備えない請求項１から請求項１４のいずれか一項に記載の穴加工工具（１００、３００）。
【請求項１６】
前記ガイドパッド（１１８、２１８、３１８）が切れ刃（２６）を備えない請求項１から請求項１５のいずれか一項に記載の穴加工工具（１００、３００）。
【請求項１７】
請求項１から請求項１６のいずれか一項に記載の穴加工工具（１００、３００）におけるガイドパッド（１１８、２１８、３１８）の高さの調整方法であって、
ａ）前記締めつけ部材（４０）を緩めて、前記ガイドパッド（１１８、２１８、３１８）を解放する工程と、
ｂ）所望のパッド高さに到達するまで前記調整ねじ（１３０、２３０、３３０）を回転させる工程と、
ｃ）前記締めつけ部材（４０）を締めて、前記ガイドパッド（１１８、２１８、３１８）を締めつける工程と
を備える方法。
【請求項１８】
穴加工工具（１００、３００）のパッドポケット（２０）に装着可能な調節可能なガイドパッドアセンブリであって、
パッド上面及びパッド下面（８４、８６）、並びに前記ガイドパッド上面及びガイドパッド下面（８４、８６）に開口するガイドパッド穴（９０）を有するガイドパッド（１１８、２１８、３１８）と、
楔部材（１２８、２２８、３２８）であって、楔上面及びこれと反対側の楔下面（６２、６４）、前記楔部材（１２８、２２８、３２８）の厚さを通り前記楔上面及び楔下面（６２、６４）をつなげる楔開口部（６８）、並びに前記楔上面及び楔下面（６２、６４）の間に延在する楔周面（６６）を備え、前記楔上面及び楔下面（６２、６４）の間に鋭角の楔角（β）が形成され、前記楔周面（６６）が調整面（１７６、２７６、３７６）を備える、楔部材（１２８、２２８、３２８）と、
前記調整面（１７６、２７６、３７６）に当接するように構成されている調整ねじ（１３０、２３０、３３０）と、
前記パッド下面（８６）が前記楔上面（６２）に当接し、前記ガイドパッド穴（９０）が前記楔開口部（６８）と重なっている状態で前記ガイドパッドが前記楔部材（１２８、２２８、３２８）の上に置かれている時に、前記ガイドパッド穴（９０）及び前記楔開口部（６８）の両方を貫いて延在するに十分な長さを有する締めつけ部材（４０）と
を備える調節可能なガイドパッドアセンブリ。
【発明の詳細な説明】
【技術分野】
【０００１】
本願の主題は、複数のガイドパッド、すなわち支持パッド、を備える静止型又は回転式の金属穴加工工具に関する。具体的には、本願の主題は、ドリル、拡孔器（リーマー）及び／又は穿孔器等の穴加工工具用のパッド調整機構に関する。本願はフライス加工工具には関連しない。
【背景技術】
【０００２】
米国特許第５，６９７，７３７号明細書は支持パッドを備えるドリルを開示する。
【発明の概要】
【課題を解決するための手段】
【０００３】
本願の主題の第１の態様によれば、中心長手方向工具軸を有する穴加工工具であって、ポケット基面を有する外側を向くパッドポケットと、上記パッドポケットの中に固定されているガイドパッドとを備え、
ポケット基面と、
楔部材であって、楔上面及びこれと反対側の楔下面、並びに上記楔部材に形成された楔開口部（６８）を備え、上記楔上面及び楔下面の間に鋭角の楔角が形成され、上記楔下面が上記ポケット基面に当接し、上記ガイドパッドが上記楔上面に当接する楔部材と、
上記楔部材に当接し、上記楔部材を上記ポケット基面に沿って移動させるように構成されている調整ねじと、
上記楔開口部を通り、上記ガイドパッド及び上記楔部材の両方を上記パッドポケットの中に固定するように構成されている締めつけ部材と
をさらに備える穴加工工具が提供される。
【０００４】
本願の主題の第２の態様によれば、内部に固定されたガイドパッドと、細長い工具本体とを備える穴加工工具であって、
締めつけ部及びこれと反対側の加工部の間に延在する工具周面であって、上記加工部が切れ刃を備える工具周面と、
上記締めつけ部及び加工部を貫いて長手方向に通る中心長手方向工具軸と、
上記工具軸から離れる方向を向き、
ポケット基面、並びに
楔上面及びこれと反対側の楔下面、並びに上記楔上面及び楔下面の間に延在する楔周面を備え、上記楔周面が調整面を備える楔部材
を備えるパッドポケットと、
上記楔部材を移動させるように構成されている調整ねじと、
上記楔部材にある楔開口部を通り、上記ガイドパッド及び上記楔部材を上記パッドポケットの中に固定する締めつけ部材と
をさらに備え、
上記楔下面が上記ポケット基面に当接し、
上記楔上面及び楔下面が、それらの間に鋭角の楔角を形成し、上記調整ねじが上記調整面に当接する
穴加工工具がさらに提供される。
【０００５】
本願の主題の第３の態様によれば、
細長い工具本体であって、締めつけ部及びこれと反対側の加工部の間に延在する工具周面、上記締めつけ部及び加工部を貫いて長手方向に通る中心長手方向工具軸、上記工具本体上に形成され、上記工具軸から離れる方向を向くパッドポケットを有し、上記パッドポケットがポケット基面を有する工具本体と、
パッド上面及びパッド下面を有し、上記ガイドパッド上面及びガイドパッド下面に開口するガイドパッド穴を有するガイドパッドと、
楔部材であって、楔上面及びこれと反対側の楔下面、上記楔部材の厚さを通り上記楔上面及び楔下面をつなげる楔開口部、並びに上記楔上面及び楔下面の間に延在する楔周面を備え、上記楔上面及び楔下面の間に鋭角の楔角が形成され、上記楔周面が調整面を備える楔部材と、
調整ねじと、
締めつけ部材と
を備え、
上記締めつけ部材が、上記ガイドパッド穴及び上記楔開口部の両方を通り、上記ガイドパッド及び上記楔部材の両方を上記パッドポケットの中に固定し、
上記楔下面が上記ポケット基面に当接し、
上記調整ねじが上記調整面に当接し、
上記調整ねじを回転させることで上記楔部材が上記ポケット基面に沿って移動し、上記長手方向工具軸に対する上記ガイドパッドの高さが調整される
穴加工工具がさらに提供される。
【０００６】
以下の特徴のいずれも、単独であっても又は組み合わせであっても、本願の主題の態様のいずれにも適用可能でありうる。
【０００７】
上記楔角は、３°から１３°の範囲にあってもよい。
【０００８】
上記楔上面は、上記中心長手方向工具軸と鋭角の前逃げ角を形成する。
【０００９】
上記前逃げ角は、０．１°から０．３°の範囲にあってもよい。
【００１０】
上記ポケット基面は、上記工具軸と鋭角の底角を形成し、上記ポケット底角は上記楔角及び上記前逃げ角の和に等しい。
【００１１】
上記調整ねじは、上記楔部材に対し、上記締めつけ部材に向けた力を加える。
【００１２】
上記中心長手方向工具軸を含む穴加工工具の断面は、上記調整ねじ及び上記締めつけ部材の両方を通る。
【００１３】
上記パッドポケットは、上記ポケット基面から横方向に（すなわち、上記ポケット基面から立ち上がる方向に、又は上記ポケット基面と交差する方向に）延在しかつ上記ガイドパッドに当接して上記ガイドパッドを位置決めするように構成されている複数のポケット壁を備えてもよい。
【００１４】
上記複数のポケット壁は、上記ポケット基面に対して垂直であってもよい。
【００１５】
上記ガイドパッドは、パッド上面及びこれと反対側のパッド下面を有し、上記上面及び下面のうちの少なくとも１つに位置する少なくとも１つの凸状の作用面を備えてもよい。
【００１６】
上記締めつけ部材はねじであってもよく、上記調整ねじ及び上記締めつけ部材の両方は、上記パッドポケットに形成されたそれぞれのねじ穴に螺合されてもよい。
【００１７】
上記複数のポケット壁は、上記ポケット基面から外側に向かって延在してもよく、工具周面とつながっていてもよい。
【００１８】
上記楔部材は、上記調整ねじを収容する調整用凹部を備えてもよい。
【００１９】
上記調整ねじは、上記楔部材を反対方向である前後方向に選択的に移動させてもよい。
【００２０】
上記楔部材は、上記楔上面及び楔下面のうちの一方から横方向に延在する受入拡張部を備えてもよい。
【００２１】
上記パッドポケットはカートリッジを備えない。
【００２２】
上記ガイドパッドは、いずれの種類の切れ刃をも備えない。
【００２３】
上記穴加工工具の上記ガイドパッドの高さの調整方法は、
ａ）上記ガイドパッドを解放しつつ、上記締めつけ部材（４０）を緩める工程と、
ｂ）所望のパッド高さに到達するまで上記調整ねじを回転させる工程と、
ｃ）上記締めつけ部材を締めて上記ガイドパッドを締めつける工程と
を備えてもよい。
【００２４】
本願の主題のさらに別の態様では、穴加工工具のパッドポケットに装着可能な調節可能なガイドパッドアセンブリが提供される。このガイドパッドアセンブリは、
パッド上面及びパッド下面、並びにこのガイドパッド上面及びガイドパッド下面に開口するガイドパッド穴を有するガイドパッドと、
楔部材であって、楔上面及びこれと反対側の楔下面、上記楔部材の厚さを通り上記楔上面及び楔下面をつなげる楔開口部、並びに上記楔上面及び上記楔下面の間に延在する楔周面を備え、上記楔上面及び楔下面の間に鋭角の楔角が形成され、上記楔周面が調整面を備える、楔部材と、
上記調整面に当接するように構成されている調整ねじと、
上記パッド下面が上記楔上面に当接し、上記ガイドパッド穴が上記楔開口部と重なっている状態で上記ガイドパッドが上記楔部材の上に置かれている時に、上記ガイドパッド穴及び上記楔開口部の両方を貫いて延在するに十分な長さを有する締めつけ部材と
を備える。
【図面の簡単な説明】
【００２５】
本願の主題のより良い理解のために、及び本願の主題がどのように実際に実施されてもよいのかを示すために、以降、添付の図面への参照がなされることになる。
【図１】組み立て配置における穴加工工具の側面図である。
【図２】図１の穴加工工具の分解組立図の等角図である。
【図３】図１のＩＩＩ−ＩＩＩ線に沿ったパッドポケットの断面図である。
【図４】組み立て配置におけるパッドポケットの一実施形態の等角図である。
【図５】図４のパッドポケットの分解組立図の等角図である。
【図６】図４のＶＩ−ＶＩ線に沿った上記パッドポケットの断面図である。
【図７】組み立て配置における穴加工工具の一実施形態の等角図である。
【図８】図７の穴加工工具の分解組立図の等角図である。
【図９】図７のＩＸ−ＩＸ線に沿ったパッドポケットの断面図である。
【００２６】
適切と考えられる場合、対応する要素又は類似の要素を示すために、参照数字が複数の図にわたって繰り返されることがある。
【発明を実施するための形態】
【００２７】
以下の説明では、本願の主題の種々の態様が記載される。説明のために、特定の構成及び細部が十分詳細に示され、本願の主題の十分な理解が提供される。しかしながら、本明細書に提示される特定の構成及び細部を用いなくても本願の主題を実施することができるということも、当業者には明らかであろう。
【００２８】
穴加工工具１００、３００は、締めつけ部１１２、３１２（例えば図１及び図８にのみ示す）と、これと反対側の加工部１１４、３１４と、それらの間に延在する細長い工具本体１１６、３１６とを備える。この締めつけ部は、機械の中、アダプタの中、又は延長シャンクの中に締めつけられるように構成されている。穴加工工具１００、３００は少なくとも１つのパッドポケット２０をさらに備え、パッドポケット２０は、高さ調整機構２１と、パッドポケット２０内部に固定された交換式のガイドパッド１１８、２１８、３１８とを有する。ガイドパッド１１８、２１８、３１８は割り出し可能であってもよい。用語「加工工具」、「ドリル」、「拡孔器（リーマー）」、「穿孔器」はすべて、本明細書中では、（物質を取り除くことにより）ワークピースの中に穴を作成するか、又はワークピースの内面を加工するかのいずれかのために構成されている工具を指す。上述の加工操作は、静止したワークピースに対して回転する回転加工工具、又は静止した加工工具に対して回転する回転ワークピースによって実施することができる。中心工具軸Ｒが画定され、中心工具軸Ｒは工具本体１１６、３１６の全体にわたって長手方向にかつ対称的に延在しており、締めつけ部１１２、３１２及び加工部１１４、３１４を通る。ほとんどの適用例では、工具軸Ｒは、工具又はワークピースの回転の軸である仮想回転軸と同軸である。
【００２９】
当該技術分野で公知であるように、ガイドパッド、又は支持パッドは、ワークピースを切断しないし、ワークピースから材料を取り除きもしないが、半径方向に支持したり、及び／又はワークピースの表面品質を向上したりするように構成されている。
【００３０】
工具軸Ｒは、工具軸Ｒと平行である軸方向ＡＤを画定する。工具軸Ｒは、工具軸Ｒから垂直に延び軸方向ＡＤに垂直である半径方向ＲＤを画定する。接線方向ＴＤは、軸方向及び半径方向ＡＤ、ＲＤの両方に垂直であるように画定される。接線方向ＴＤは、工具軸Ｒから離間している。換言すれば、接線方向ＴＤは、工具軸Ｒと同軸である仮想円筒に対する接線である。
【００３１】
パッドポケット２０及び調整機構２１についての３つの例示的実施形態が、本明細書に開示される。第１実施形態及び第２実施形態（図１−図６）は、工具の「側面」から、半径方向ＲＤに、工具に接近すること（例えば、「トルクス（登録商標）」キー等の調整）を可能にしている。第３実施形態（図７−図９）は、工具の「前面」から、軸方向ＡＤに、接近することを可能にしている。これは、例えば、側面からの接近性が厄介である工作機械のタレットにおいて好都合である。
【００３２】
工具本体１１６、３１６は、工具軸Ｒに沿って加工部１１４、３１４と締めつけ部１１２、３１２との間に延在する工具周面２２を備える。
【００３３】
加工部１１４は、一体的な又は交換式の加工ヘッド２４を備えてもよい。交換式の加工ヘッド２４は、少なくとも１つの切れ刃２６を有し、工具本体１１６、３１６に解放可能に結合されている。ドリル又は穿孔器を例示する第１実施形態及び第２実施形態によれば、加工部１１４は、軸方向ＡＤにおいて、パッドポケット２０と離間していてもよい。図１で見られるように、軸方向ＡＤは、加工ヘッド２４が位置している当該工具の前端の方向にある前向き軸方向ＦＡＤ、及び締めつけ部１１２が位置している工具の後端の方向にある逆向きの後向き軸方向ＲＡＤを備える。拡孔器（リーマー）を例示する図７−図９に示される第３実施形態によれば、パッドポケット２０は、加工部３１４内に位置していてもよい。
【００３４】
パッドポケット２０は、工具周面２２に沈み込んでいてもよく、半径方向外側に向いている。調整機構２１は、半径方向ＲＤにおけるガイドパッド１１８、２１８、３１８と工具軸Ｒとの間の距離として定義される半径方向拡張量ＲＥを調整するように構成されている。一般に、調整の間にガイドパッド１１８、２１８、３１８の全体が移動するので、ガイドパッド１１８、２１８、３１８における任意の点は少なくとも半径方向ＲＤにおいては同じ距離を平行移動する。しかしながら、一例として、半径方向拡張量ＲＥは、仮想基準面ＲＰから測定される。基準面ＲＰは、パッド上面及びパッド下面８４、８６の間の中間に位置してもよく、このことは、以降、さらに説明される。用途及び工具サイズによっては、上記半径方向拡張量は１ｍｍに達してもよい。
【００３５】
調整機構２１は、楔部材１２８、２２８、３２８と、調整ねじ１３０、２３０、３３０とを備える。楔部材１２８、２２８、３２８はパッドポケット２０中に据え付けられており、ガイドパッド１１８、２１８、３１８は楔部材１２８、２２８、３２８上に据え付けられている。半径方向ＲＤにおいて、楔部材１２８、２２８、３２８は、工具軸Ｒとガイドパッド１１８、２１８、３１８との間に位置している。調整ねじ１３０、２３０、３３０は、パッドポケット２０の中で楔部材１２８、２２８、３２８を後向き軸方向ＲＡＤに押す、すなわち移動させるように構成されている。以降に説明するように、パッドポケット２０と楔部材１２８、２２８、３２８との間の角度が付いた係合により、楔部材１２８、２２８、３２８が上述の半径方向拡張量ＲＥを正確に調整、すなわち変更、することが可能になる。
【００３６】
パッドポケット２０は、工具周面２２に対して窪んでいてもよくかつ半径方向ＲＤに外側を向くポケット基面３２を備える。パッドポケット２０は、ポケット基面３２から横方向に（すなわち、上記ポケット基面３２から立ち上がる方向に、又は上記ポケット基面３２と交差する方向に）延在し工具周面２２と出会う複数のポケット壁３４を有する。ポケット壁３４はポケット基面３２に対して垂直であってもよい。第１実施形態及び第２実施形態によれば、２つの隣接するポケット壁３４（後向き軸方向ＲＡＤにおいて加工部１１４から最も遠く位置している）は、位置決め用隅部３６で出会い、パッドポケット２０の中でのガイドパッド１１８、２１８の正確な配置を向上するように構成されている。第３実施形態によれば、パッドポケット２０は、ガイドパッド３１８の後方部分と係合し後向き軸方向ＲＡＤの止め、すなわち位置決め手段、としての役割を果たす後方ポケット壁３８を有する。ポケット壁３４は、楔部材１２８、２２８、３２８がポケット壁３４に向かって押された時に、ガイドパッド１１８、２１８、３１８が半径方向ＲＤのまわりに回転したり半径方向ＲＤに動いたりすることを防止する（又は低減する）ようにも構成されている。具体的には、楔部材１２８、２２８、３２８が締めつけ部１１２、３１２に向かって後向き軸方向ＲＡＤに移動する時、ガイドパッド１１８、２１８、３１８は半径方向ＲＤに移動するだけである。
【００３７】
パッドポケット２０は、ガイドパッド１１８、２１８、３１８及び楔部材１２８、２２８、３２８の両方をパッドポケット２０の中に固定するように構成されている締めつけ部材４０をさらに備える。締めつけ部材４０は、ガイドパッド１１８、２１８、３１８をポケット基面３２に向かって及びポケット壁３４に向かって押し付けている。締めつけ部材４０は締めつけねじ４０であってもよい。締めつけねじ４０は、ポケット基面３２にある締めつけ部材用穴４２の対応する雌ねじに螺合することができる。
【００３８】
第１実施形態によれば、調整ねじ１３０は、円錐台状のヘッド当接面４６を備える締めつけヘッド４４を有する。調整ねじ１３０はさらに、締めつけヘッド４４につながっている円筒形の雄ねじ部４８を有する。ヘッド当接面４６は、楔部材１２８に当接するように構成されている。ヘッド当接面４６の反対側の、締めつけヘッド４４の上端５８に、締めつけヘッド４４はさらに、例えば「トルクス」キー凹部であるキー凹部５０を有する。調整ねじ１３０は、ポケット基面３２に開口し半径方向ＲＤに延在するねじ溝付きの調整穴１５２に螺合される。
【００３９】
第２実施形態によれば、調整ねじ２３０は、円錐台状の下部当接面５６につながっているねじ溝部４８を有する。下部当接面５６の最大径はねじ溝部４８の外径よりも小さい。下部当接面５６は、楔部材２２８に当接するように構成されている。下部当接面５６の反対側の、ねじ溝部４８につながっている上端５８に、調整ねじ２３０は、例えば「トルクス」キー凹部であるキー凹部５０を有する。調整ねじ２３０は、工具周面２２に開口し半径方向ＲＤに延在するねじ溝付きの調整穴２５２に螺合される。調整穴２５２はパッドポケット２０にも開口しており、調整ねじ２３０と楔部材２２８との間の接触を可能にしている。
【００４０】
第３実施形態によれば、調整ねじ３３０は、反対側にある２つの平面状の端部当接面６０及びそれらの間に延在するねじ溝部４８を有する。端部当接面６０は、楔部材３１８に当接するように構成されている。端部当接面６０のうちの少なくとも１つは、例えば「トルクス」キー凹部であるキー凹部５０を有する。調整ねじ３３０は、軸方向ＡＤに延在し工具前面５４に開口するねじ溝付きの調整穴３５２に螺合される。工具前面５４は、前向き軸方向ＦＡＤに外側を向く。工具前面５４は、加工部３１４に位置している。調整穴３５２は、パッドポケット２０にも開口しており、調整ねじ３３０と楔部材３２８との接触を可能にしている。
【００４１】
楔部材１２８、２２８、３２８は、楔上面及びこれと反対側の楔下面６２、６４と、楔上面及び楔下面６２、６４の間に延在する楔周面６６とを有する。楔上面及び楔下面６２、６４は、工具軸Ｒに沿って延在し、それらの間に鋭角の楔角βを形成する。楔角βは、３°から１３°の範囲にあってもよく、好ましくは７°である。楔部材１２８、２２８、３２８は細長い楔開口部６８を有する。楔開口部６８は、楔開口部６８を通る締めつけ部材４０を収容するように構成されている。軸方向ＡＤで、楔開口部６８は、締めつけ部材４０の幅、すなわち直径、よりも大きい寸法を有する（図３、図６及び図９の断面で見られるとおり）。楔開口部６８は楔部材を通り（つまり、貫き）、少なくとも楔上面及び楔下面６２、６４に開口する。楔開口部６８は、軸方向ＡＤに細長く、これにより、楔部材１２８、２２８、３２８の中での軸方向ＡＤの締めつけ部材４０の相対移動を許容している。図３、図６及び図９は、楔開口部６８と締めつけ部材４０との間で軸方向に作られる空間を示す。この空間が、上述の相対移動を可能にしている。
【００４２】
第３実施形態によれば、楔開口部６８は楔周面６６にも開口する。基本的に、楔部材３１８は柔軟性スロット７０を備える。この柔軟性スロット７０は、楔周面６６と楔開口部６８との間に延在し、従って、柔軟なアーム７２を作り出す。柔軟なアーム７２は、パッドポケット２０から外して（弛緩位置で）置かれているとき、（ポケット壁３４に対して）接線方向ＴＤにおいてパッドポケット２０からわずかに突出する、すなわちパッドポケット２０よりも幅広である。楔部材３１８がパッドポケット２０に挿入されているとき、柔軟なアーム７２は互いに向かって押し付けられており（これにより、弾性変形が引き起こされ弾力が生じる）、これにより、アーム７２が常にポケット壁３４と部分的に接触したままであることが可能になり、アーム７２がパッドポケット２０から脱落することが防止される。
【００４３】
楔上面６２は接線方向ＴＤと平行である。言い換えると、楔上面６２は、工具軸Ｒを通る仮想平面（例えば、この仮想平面は、図３で見られるような断面の面であってもよい）に垂直である。前向き軸方向ＦＡＤにおいて、楔上面６２は、軸方向の断面（図３、図６及び図９）で見られるように、工具軸Ｒと前逃げ角αを形成する。ガイドパッド１１８、２１８、３１８は作用面７４を有する。作用面７４は、ワークピースと係合するように構成されているが、ワークピースから材料を切り出すようには構成されていない。前逃げ角αにより、パッドポケット２０の中でのその時点での取り付け配向ではワークピースとの係合を意図したものではない作用面７４について、ワークピースからの解放が可能になる。換言すれば、ガイドパッド１１８、２１８、３１８がどれほど多くの作用面７４を備えようとも、前逃げ角αにより、１つだけの、所望の作用面７４がワークピースと係合することが可能になる。前逃げ角αは非常に小さいので、楔上面６２は、その断面では工具軸Ｒと平行であるように見えるかもしれない。具体的には、前逃げ角αは、０．１°から０．３°の値を有してもよい。
【００４４】
楔部材１２８、２２８、３２８は調整面１７６、２７６、３７６をさらに備える。調整面１７６、２７６、３７６は、調整ねじ１３０、２３０、３３０を受けて係合するように構成されており調整ねじ１３０、２３０、３３０の形状に合うように構成されている。本実施例によれば、調整面１７６、２７６、３７６は部分円錐台状である。第１実施形態及び第２実施形態によれば、調整面１７６、２７６は受入拡張部１７８、２７８に置かれている。第１実施形態によれば、受入拡張部１７８は楔上面６２から横方向に延在する。第２実施形態によれば、受入拡張部２７８は楔下面６４から横方向に延在する。
【００４５】
第１実施形態及び第２実施形態によれば、調整面１７６、２７６は、例えば図３及び図６の断面で見られるように、楔上面６２と鋭角の調整角γを形成する。調整角γにより、調整ねじ１３０、２３０が楔部材１２８、２２８を締めつけること（パッドポケット２０から脱落することを防止する）及び楔部材１２８、２２８を移動させることの両方が可能になる。
【００４６】
第３実施形態によれば、楔部材３１８は、楔下面６４に置かれ楔下面６４に開口する調整用凹部８０を備える。調整用凹部８０は、楔上面６２と垂直である後方調整面３７６を備える。調整用凹部８０は、調整面３７６と平行であり調整面３７６と対向して置かれている前方調整面８２をさらに備える。この二次的な調整面８２により、調整ねじ３３０が楔部材３１８を前向き軸方向ＦＡＤに締めつけ部３１２から離れるように押すことが可能になり、それゆえ半径方向拡張量ＲＥが小さくなる。
【００４７】
上述したように、ガイドパッド１１８、２１８、３１８は、パッド上面及びパッド下面８４、８６と、パッド上面及びパッド下面８４、８６間に延在するパッド周面８８とを有する。ガイドパッド１１８、２１８、３１８は、パッド上面及びパッド下面８４、８６に開口するガイドパッド貫通穴９０を備えてもよい。組み立て配置において、例えば、パッド上面８４の平面図から見たときに、ガイドパッド穴９０は、締めつけ部材用穴４２に対して偏心して、これにより締めつけねじ４０がパッド１１８、２１８を、位置決め用隅部３６又は後方ポケット壁３８に向かって、ポケット壁３４上を／ポケット壁３４に対して、押し付けることが可能になるものでもよい。パッド上面及びパッド下面８４、８６のうちのいずれかの平面図から見たときに、ガイドパッド１１８、２１８、３１８の（同じ方向の）投影図は多角形形状を有する。第１実施形態及び第２実施形態によれば、ガイドパッド１１８、２１８は、正方形形状である投影図を有する。第３実施形態によれば、ガイドパッド３１８の投影図は矩形形状を有する。
【００４８】
第１実施形態及び第２実施形態によれば、パッド上面８４は、ワークピースと係合するように構成されている２つの斜向かいの凸状の作用面７４を備える。第３実施形態によれば、パッド上面８４は、ワークピースと係合するように構成されている２つの対向する凸状の作用面７４を備える。作用面７４は、すべて基準面ＲＰから同じ距離に位置している。パッド下面８６は、少なくとも部分的に平面状であってもよい。
【００４９】
組み立て配置において、楔下面６４はポケット基面３２に当接する。本実施形態によれば、パッド下面８６は楔上面６２に当接する。パッド周面８８はポケット壁３４に当接する。締めつけ部材４０は、ガイドパッド穴９０及び楔開口部６８の両方の中に位置する。締めつけ部材４０は締めつけ部材用穴４２に螺合され、ヘッド当接面４６は、ガイドパッド穴９０の中に位置する対応するパッド締めつけ面９２に当接する。上記のことから、パッド下面８６が楔上面６２に当接し、ガイドパッド穴９０が楔開口部６８と重なっている状態でガイドパッドが楔部材の上に置かれている時に、締めつけ部材４０はガイドパッド１１８、２１８、３１８及び楔部材１２８、２２８、３２８の両方の厚さを通るに十分な長さを有し、これによりガイドパッド１１８、２１８、３１８及び楔部材１２８、２２８、３２８の両方をパッドポケット２０の中に固定するということが理解できる。
【００５０】
調整ねじ１３０、２３０、３３０は、調整穴５２に螺合され、楔部材１２８、２２８、３２８に当接する。例えば図３断面図で見られるように、調整ねじ１３０、２３０、３３０及び締めつけ部材４０の両方が、工具軸Ｒと交差する仮想平面に長手方向に延在する、すなわち方向付けされる。それゆえ調整ねじ１３０、２３０、３３０は、楔部材１２８、２２８、３２８を後向き軸方向ＲＡＤに押し付ける。言い換えると、調整ねじ１３０、２３０、３３０は、楔部材１２８、２２８、３２８の中央で方向付けられる力を締めつけ部材４０に向かってのみ加える。これにより、（楔部材を回転させる可能性があり、この回転が起こると、調整精度すなわち作用面７４の最終位置の精度が低下する可能性がある）望まれないトルクが楔部材１２８、２２８、３２８に加えられないことが確実になる（実現されやすくなる）。第１実施形態及び第２実施形態によれば、ガイドパッド１１８、２１８が交換される時、調整ねじ１３０、２３０は、楔部材１２８、２２８を保持し、楔部材１２８、２２８がパッドポケット２０から脱落することを防止する。
【００５１】
半径方向拡張量ＲＥを調整する必要が生じたときには、締めつけ部材４０は緩められ、調整ねじ１３０、２３０、３３０が所望の調整方向に応じて回転される。楔角βに起因して、調整ねじ１３０、２３０、３３０は、軸方向ＡＤ及び半径方向ＲＤに、ポケット基面３２に沿って楔部材１２８、２２８、３２８を押し付け移動させる。ポケット基面３２は、工具軸Ｒと鋭角のポケット底角を形成する。ポケット底角はα＋βに等しい。図３、図６及び図９で見られるように、ポケット基面３２は、工具の前方向に、工具軸Ｒに向かって傾いている。
【００５２】
第３実施形態では、調整ねじ３３０は右ねじであり、時計回り方向に回転すると、調整ねじ３３０は後向き軸方向ＲＡＤに締めつけ部１１２、３１２に向かって進み、それゆえ楔部材３２８を少なくとも同じ方向に押す。上述したとおり、ガイドパッド１１８、２１８、３１８はポケット壁３４に当接する。それゆえ、楔部材１２８、２２８、３２８の移動の間、ガイドパッド１１８、２１８、３１８は半径方向ＲＤに（工具軸Ｒから離れて、又は工具軸Ｒに向かって）移動する。正しい、又は所望の、半径方向拡張量ＲＥに到達すると、締めつけ部材４０は締められ、楔部材１２８、２２８、３２８及びガイドパッド１１８、２１８、３１８のその時点での位置を保存／係止する。締めつけ部材４０が締められた後、ガイドパッド１１８、２１８、３１８は、軸方向及び接線方向ＡＤ、ＴＤにおいてただ１つの位置（及び配向）で正確に位置決めされる。換言すれば、軸方向及び接線方向ＡＤ、ＴＤの両方において、ガイドパッド１１８、２１８、３１８は、割り出しの配向によらず、常に正確に配置される。
【００５３】
調整機構２１によって成し遂げ向上することができる穴精度は、とりわけ十字穴用及び／又は断続加工用の加工工具の安定性を向上させる。より良好な安定性は、耳障りな異音の減少及び／又は振動の抑制にも寄与する。振動の抑制は、通常、加工の際のノイズ削減につながる。このことは、とりわけ、工具が加工された穴を出るときに、認識できる。
【００５４】
第３実施形態では、調整ねじ３３０によって二方向の調整が可能になる。これは、半径方向拡張量ＲＥの調整の際に操作者からほとんど何も要求されないということを意味する。
【００５５】
調整機構２１は少量の部品しか有していない。それゆえ、調整機構２１は簡便であり安く製造できる。例えば、カートリッジ（これは、製造を複雑にして製造コストを上昇させる）は必要ではない。
【図１】
2020508225.tif 000003
【図２】
2020508225.tif 000004
【図３】
2020508225.tif 000005
【図４】
2020508225.tif 000006
【図５】
2020508225.tif 000007
【図６】
2020508225.tif 000008
【図７】
2020508225.tif 000009
【図８】
2020508225.tif 000010
【図９】
2020508225.tif 000011
【国際調査報告】
2020508225.tif 000012
2020508225.tif 000013
2020508225.tif 000014